(57)【特許請求の範囲】
【請求項１】
ミスト用水を加熱する液−液熱交換器と、この液−液熱交換器によりミスト用水を加熱してミストを生成させるためのミスト運転制御を実行する制御手段とを備え、上記ミスト運転制御によって上記液−液熱交換器の一次側に対し熱源として熱媒が循環供給される一方、二次側に被加熱対象としてミスト用水が供給されるように構成されているミスト発生装置であって、
上記液−液熱交換器の一次側における熱媒の温度を検出する熱媒温度検出手段と、
上記液−液熱交換器の二次側に対するミスト用水の供給・遮断を切換えるミスト用水供給切換手段と、
上記液−液熱交換器の一次側と二次側との間におけるリーク発生の有無を判定処理するリーク判定処理手段とを備え、
上記リーク判定処理手段は、上記制御手段によるミスト運転制御終了直後に、上記ミスト用水供給切換手段を遮断状態から供給状態に一時的に切換える一方、上記熱媒温度検出手段により検出される熱媒温度を監視し、切換後に検出される熱媒温度の変化状態に基づいてリーク発生の有無を判定するように構成されている
ことを特徴とするミスト発生装置。
【請求項２】
請求項１に記載のミスト発生装置であって、
上記液−液熱交換器の一次側に対する熱媒の供給・遮断を切換える熱媒供給切換手段を備え、この熱媒供給切換手段と液−液熱交換器の一次側との間に上記熱媒温度検出手段が配設されており、
上記リーク判定処理手段は、熱媒温度の監視を開始するにあたり、上記熱媒供給切換手段を供給状態に維持又は切換作動するように構成されている、ミスト発生装置。
【請求項３】
請求項２に記載のミスト発生装置であって、
上記リーク判定処理手段は、上記熱媒供給切換手段を全開での供給状態に切換作動するように構成されている、ミスト発生装置。
【請求項４】
ミスト用水を加熱する液−液熱交換器と、この液−液熱交換器によりミスト用水を加熱してミストを生成させるためのミスト運転制御を実行する制御手段とを備え、上記ミスト運転制御によって上記液−液熱交換器の一次側に対し熱源として熱媒が循環供給される一方、二次側に被加熱対象としてミスト用水が供給されるように構成されているミスト発生装置であって、
上記液−液熱交換器の一次側において熱媒の流通の有無を検出する熱媒流通検出手段と、
上記液−液熱交換器の一次側に対する高温水の供給・遮断を切換える熱媒供給切換手段と、
上記液−液熱交換器の二次側に対するミスト用水の供給・遮断を切換えるミスト用水供給切換手段と、
上記液−液熱交換器の一次側と二次側との間におけるリーク発生の有無を判定するリーク判定処理手段とを備え、
上記リーク判定処理手段は、上記制御手段がミスト運転制御を開始するために上記熱媒供給切換手段に対し遮断状態から供給状態に切換えるための切換作動信号を出力してから、上記熱媒供給切換手段が実際に作動するまでの作動遅れ時間の間に、上記ミスト用水供給切換手段を遮断状態から供給状態に切換える一方、上記熱媒流通検出手段により検出される流通の有無について監視し、ミスト用水の供給状態下において上記熱媒流通検出手段により検出される流通の有無の如何に基づいてリーク発生の有無を判定するように構成されている
ことを特徴とするミスト発生装置。
【請求項５】
請求項１〜請求項４のいずれかに記載のミスト発生装置と、加熱手段と、この加熱手段による加熱を受けて温風を生成し浴室空間に吹き出させる送風機とを備えている
ことを特徴とするミスト機能付き浴室乾燥機。
【発明の詳細な説明】
【技術分野】
【０００１】
本発明は、例えば浴室等において、その室内空間に対し加熱された湯水をミストにして噴霧することによりサウナ感を得るためなどに用いられるミスト発生装置及びこれを備えたミスト機能付き浴室乾燥機に関し、特にミスト用の湯水を加熱するための液−液熱交換器におけるリーク発生(漏水発生)の有無を判定する判定処理機能を備えたミスト発生装置等に係る。
【背景技術】
【０００２】
従来、閉回路内において、所定水圧を加えた直後から水圧検出値が低下していって所定の判定用圧力値に達するまでに要する時間値の長短、又は、圧力低下の度合に応じて漏水発生の有無を判定するという検査方法が知られている（例えば特許文献１参照）。このものでは、浴槽水の追い焚きのための風呂回路と、遠隔放熱端末との間で熱源用温水を循環させる暖房回路とを備えた複合熱源器を対象にして、次の手順にて検査をしている。すなわち、新設の弁や既設の弁を閉じて風呂回路と暖房回路とを連通させて一つの閉回路にし、所定の水圧をかける。通常、各回路を構成する配管の膨張等の影響により漏水発生の有無に拘わらず圧力検出値は低下するものの、漏水が発生していると、ない場合に比べ、水圧低下度合が大きくなる。このため、所定の判定用圧力値まで低下するに要した時間値が判定用の時間値よりも短ければ、漏水が発生していると判定するようにしている。
【０００３】
【特許文献１】特開平１１−６３５２３号公報
【発明の開示】
【発明が解決しようとする課題】
【０００４】
ところで、ミスト発生装置として、ミスト用水を所定温度まで加熱するために液−液熱交換器を用いることが行われるようになっている。すなわち、液−液熱交換器の一次側に、浴室乾燥機用もしくは暖房用に循環供給される高温水を利用して熱源として循環させる一方、二次側にミスト用水を引き入れ、このミスト用水を上記高温水により液−液熱交換加熱することが行われるようになっている。この液−液熱交換器内において、例えば、一次側の高温水と、二次側のミスト用水との間を伝熱可能に仕切る隔壁に孔明き等の損傷が万一発生し、その孔を通じて一次側と二次側とが短絡してしまってリークが生じてしまったとしても、外部に見える状態での液漏れが生じる訳でもなく、このため、リーク発生の発見が著しく遅れてしまったり、もしくは、困難になったりする等の不都合がある。
【０００５】
かかる液−液熱交換器の内部で生じるリークの有無についても、リークが発生したら早期にそれを発見する必要がある。又、そのリーク発生の有無の判定(リーク判定)を実行するにあたり、そのリーク判定を実行するためだけに、あるいは、リーク判定を実行する度に、熱源用高温水を循環供給するための燃焼作動を行わせるのでは、ユーザの側からみるとミスト噴霧もしくは浴室乾燥等の使用のため以外の余分な燃焼エネルギーを消費していることに等しい上に、その燃焼作動のために必要な時間がリーク判定に要する所要時間に加わるために、１回あたりのリーク判定の所要時間がその分長くなり、それだけミスト噴霧等の本来の使用可能時間に制約が加わることにもなる。
【０００６】
本発明は、このような事情に鑑みてなされたものであり、その目的とするところは、ミスト発生装置に備えられている液−液熱交換器内におけるリーク判定を行うにあたり、そのリーク判定のためだけに燃焼作動させる必要がなく、しかも、そのリーク判定を早期にかつ確実に行うことができるミスト発生装置及びこれを備えたミスト機能付き浴室乾燥機を提供することにある。
【課題を解決するための手段】
【０００７】
上記目的を達成するために、請求項１に係る発明では、ミスト用水を加熱する液−液熱交換器と、この液−液熱交換器によりミスト用水を加熱してミストを生成させるためのミスト運転制御を実行する制御手段とを備え、上記ミスト運転制御によって上記液−液熱交換器の一次側に対し熱源として熱媒が循環供給される一方、二次側に被加熱対象としてミスト用水が供給されるように構成されているミスト発生装置を対象にして、次の特定事項を備えることとした。すなわち、上記液−液熱交換器の一次側における熱媒の温度を検出する熱媒温度検出手段と、上記液−液熱交換器の二次側に対するミスト用水の供給・遮断を切換えるミスト用水供給切換手段と、上記液−液熱交換器の一次側と二次側との間におけるリーク発生の有無を判定処理するリーク判定処理手段とを備える。そして、上記リーク判定処理手段として、上記制御手段によるミスト運転制御終了直後に、上記ミスト用水供給切換手段を遮断状態から供給状態に一時的に切換える一方、上記熱媒温度検出手段により検出される熱媒温度を監視し、その切換後に検出される熱媒温度の変化状態に基づいてリーク発生の有無を判定する構成とする。なお、上記の「液−液熱交換器の一次側における熱媒の温度を検出する熱媒温度検出手段」の設置位置としては、液−液熱交換器内に限られず、その一次側に連通する経路・配管としてもよい。ここにおいても、一次側の熱媒温度の把握検出が可能だからである。
【０００８】
この請求項１に係る発明の場合、ミスト運転制御の終了により液−液熱交換器の一次側への熱媒の循環供給が停止されたとしても、そのミスト運転制御の終了直後であれば熱媒温度は依然として高温状態を維持している。この状態で、ミスト用水供給切換手段が供給状態に一時的に切換えられてミスト用水が液−液熱交換器の二次側に対し供給され、その供給状態に切換えられた間に、監視している熱媒温度の検出値が急激に温度低下した場合には、液−液熱交換器内の二次側から一次側にミスト用水がリークし、冷たいミスト用水の混入により高温の熱媒が急激に温度低下したものと判断し得ることになる。すなわち、上記熱媒温度検出手段により検出される熱媒温度が熱媒の自然放熱を超える温度低下度合で低下すればリークが発生していると判定するリーク判定の構成を採用して、熱媒温度の変化状態についてより明確な判定基準の下でリーク判定をより確実に行い得るようになるのである。以上より、熱媒を高温にするための熱エネルギーを、リーク判定のために消費させることなく、しかも、ミスト運転終了直後の熱媒の残熱を有効利用して早期にかつ確実にリーク判定を行い得ることになる。
【０００９】
又、上記請求項１に係る発明において、上記液−液熱交換器の一次側に対する熱媒の供給・遮断を切換える熱媒供給切換手段を備え、この熱媒供給切換手段と液−液熱交換器の一次側との間に上記熱媒温度検出手段を配設した場合には、上記リーク判定処理手段として、熱媒温度の監視を開始するにあたり、上記熱媒供給切換手段を供給状態に維持又は切換作動する構成とすることができる(請求項２)。この場合、上記熱媒供給切換手段が供給状態に切換えられるため、リークが万一発生すると、ミスト運転終了により本来は循環供給が停止された熱媒内に流れを生じさせて熱媒供給切換手段の側に流れることになる。要するに、液−液熱交換器の二次側から一次側にリークしたミスト用水が熱媒内に混入して熱媒温度を低下させつつその熱媒が熱媒供給切換手段の側、つまり熱媒温度検出手段の側に流れることになるのである。このため、リーク発生に伴う熱媒温度の低下を熱媒温度検出手段によって確実にかつ早期に検出し得ることになって、確実なリーク判定を早期に行い得るようになる。その際、上記のリーク判定処理手段による切換作動として、上記熱媒供給切換手段を全開での供給状態に切換作動するようにすれば(請求項３)、上記のリーク発生に伴う熱媒の流れをより促進させ得ることになる。これにより、熱媒温度検出手段での熱媒温度の低下をより迅速に検出し得ることになり、リーク判定もより迅速に行い得ることになる。
【００１０】
請求項４に係る発明では、ミスト用水を加熱する液−液熱交換器と、この液−液熱交換器によりミスト用水を加熱してミストを生成させるためのミスト運転制御を実行する制御手段とを備え、上記ミスト運転制御によって上記液−液熱交換器の一次側に対し熱源として熱媒が循環供給される一方、二次側に被加熱対象としてミスト用水が供給されるように構成されているミスト発生装置を対象として、次の特定事項を備えることとした。すなわち、上記液−液熱交換器の一次側において熱媒の流通の有無を検出する熱媒流通検出手段と、上記液−液熱交換器の一次側に対する高温水の供給・遮断を切換える熱媒供給切換手段と、上記液−液熱交換器の二次側に対するミスト用水の供給・遮断を切換えるミスト用水供給切換手段と、上記液−液熱交換器の一次側と二次側との間におけるリーク発生の有無を判定するリーク判定処理手段とを備えることとする。そして、上記リーク判定処理手段として、上記制御手段がミスト運転制御を開始するために上記熱媒供給切換手段に対し遮断状態から供給状態に切換えるための切換作動信号を出力してから、上記熱媒供給切換手段が実際に作動するまでの作動遅れ時間の間に、上記ミスト用水供給切換手段を遮断状態から供給状態に切換える一方、上記熱媒流通検出手段により検出される流通の有無について監視を開始し、ミスト用水の供給状態下において上記熱媒流通検出手段により検出される流通の有無の如何に基づいてリーク発生の有無を判定する構成とする。
【００１１】
この請求項４に係る発明の場合、通常、熱媒供給切換手段としては発熱を待ってその熱により作動するという熱動弁で構成され、ミスト用水供給切換手段としては電磁弁で構成されることになる。このため、ミスト運転開始の際に供給状態に切換作動される熱媒供給切換手段において、切換信号の出力を受けて即座に遮断状態から切換えられるのではなくて、僅かな時間遅れの後に作動を開始して遮断状態から供給状態へ移行することになるという特性がある。このため、切換信号が出力されてから実際に供給状態に変換する前の熱媒供給切換手段が未だ遮断状態に維持されている間に、液−液熱交換器の二次側に対しミスト用水を供給可能又はミスト用水の供給圧力を作用させた状態にしたとき、本来であれば熱媒供給切換手段が未だ遮断状態であるため熱媒流通検出手段では熱媒の流通検知はない筈であるにも拘わらず、流通有りと検出された場合には、液−液熱交換器内の二次側から一次側にミスト用水がリークし、リークしたミスト用水により熱媒に流れが生じた、つまりリークが発生していると判定し得ることになる。すなわち、熱媒流通検出手段により流通有りと検出されれば、リークが発生していると判定するリーク判定の構成を採用しているのである。この場合には、ミスト運転開始の際のいわば死んだ時間を有効利用してリーク判定を早期にかつ確実に行うことが可能になる上に、熱媒を高温にするための熱エネルギーをリーク判定のためだけに消費させることもない。
【００１２】
又、以上のいずれかのミスト発生装置を併設し、加熱手段と、この加熱手段による加熱を受けて温風を生成し浴室空間に吹き出させる送風機とを備えたミスト機能付き浴室乾燥機を構成することもできる(請求項５)。このようにすることにより、以上の如きミスト用水の加熱手段である液−液熱交換器におけるリーク判定を自動処理により行い得るミスト発生装置を備えた浴室乾燥機が得られることになる。
【発明の効果】
【００１３】
以上、説明したように、請求項１〜請求項３のいずれかのミスト発生装置によれば、ミスト運転終了直後の熱媒の残熱を有効利用してその熱媒温度を監視するようにしているため、リーク発生に伴う急激な温度変化発生によって早期にかつ確実にリーク発生の有無を判定することができるようになる上に、リーク判定のために熱媒を高温にする必要が無く、そのための熱エネルギー消費も不要にすることができる。
【００１４】
特に請求項２によれば、リーク発生に伴う熱媒温度の低下を熱媒温度検出手段によって確実にかつ早期に検出して、確実なリーク判定を早期に行うことができるようになり、請求項３によれば、リーク発生に伴う熱媒の流れをより促進させて熱媒温度検出手段での熱媒温度の低下をより迅速に検出することができることになり、リーク判定もより迅速に行うことができるようになる。
【００１５】
又、請求項４のミスト発生装置によれば、ミスト運転制御の開始の際に遮断状態から供給状態に切換作動される熱媒供給切換手段の作動開始までの僅かな時間遅れを有効利用して、液−液熱交換器の二次側に対しミスト用水を供給可能又はミスト用水の供給圧力を作用させて一次側の熱媒の流通を監視するようにしているため、本来であれば流通しない筈の熱媒の流通検知によって早期にかつ確実にリーク発生の有無を判定することができるようになる上に、熱媒を高温にするための熱エネルギーをリーク判定のためだけに消費させるという不都合も回避することができる。
【００１６】
さらに、請求項５のミスト機能付き浴室乾燥機によれば、上記の請求項１〜請求項４のいずれかのミスト発生装置が併設されているため、ミスト用水の加熱手段である液−液熱交換器におけるリーク判定を自動処理により早期にかつ確実に行うことができ、しかも、リーク判定のためだけに無駄な熱エネルギーを消費することも回避することができる。
【発明を実施するための最良の形態】
【００１７】
以下、本発明の実施形態を図面に基づいて説明する。
【００１８】
＜第１実施形態＞
図１は、本発明の実施形態に係るミスト発生装置を浴室乾燥機に併設してミスト機能付き浴室乾燥機としてシステム化したものを示す。つまり、ミストを放出する対象の室内空間として浴室空間Ｒに適用したものを示す。この浴室乾燥機は、給湯機能及び温水循環式暖房機能を併有する熱源機２と、ミスト用水を生成・準備する室外機としてのミストユニット３と、室内機としての室内ユニット４と、換気装置５とを備えたものである。
【００１９】
上記熱源機２は、温水循環経路内の温水又は不凍液等の熱媒を加熱して外部の暖房端末に循環供給する温水循環系２１と、給湯経路内の給水を加熱して外部の給湯先に給湯する給湯系２２とを個別に備えたものである。これら温水循環系２１と給湯系２２とは、それぞれ互いに独立した燃焼缶体を備え、いわゆる２缶２水路に構成されたものである。そして、これらの燃焼作動等が熱源機コントローラ２３によって制御されるようになっている。従って、必ずしも１つの熱源機２である必要はなく、温水循環系２１のみで構成された第１の熱源機と、給湯系２２のみで構成された第２の熱源機との２つを用いてもよいし、逆に、熱源機として１つの燃焼缶体により熱媒や給水等を加熱する１缶２水路又は浴槽水の追い焚き加熱を含めた１缶３水路に構成されたものを用いてもよい。
【００２０】
上記温水循環系２１からは種々の暖房端末に対し加熱後の熱媒（以下、「高温水」という）を熱源として循環供給するための循環路が接続されており、その一部として、暖房往路２４及び暖房戻路２５からなる循環路が上記ミストユニット３を経由して室内ユニット４内の浴室乾燥用の放熱用熱交換器４２まで延びている。これら暖房往路２４及び暖房戻路２５は上記ミストユニット３内においてそれぞれ分岐されて、ミスト用水加熱手段である後述の液−液熱交換器３１の一次側(熱源側)に対し高温水を加熱用熱源として循環供給し得るようになっている。すなわち、暖房往路２４から分岐した暖房往分岐路２４１が熱媒供給切換手段としての閉止機能付き流量調整弁である水比例弁３１１を介して液−液熱交換器３１の一次側入口(熱源側入口)に接続され、この液−液熱交換器３１の一次側出口(熱源側出口)に接続された暖房戻分岐路２５１が暖房戻路２５に対し合流されている。これにより、暖房往分岐路２４１から液−液熱交換器３１の一次側に供給された高温水が放熱後（熱交換加熱後）に低温となり、低温となった熱媒である低温水が暖房戻分岐路２５１を通して温水循環系２１に戻されるようになっている（図１の矢印参照）。上記の水比例弁３１１は、液−液熱交換器３１でミスト用水を加熱する上で必要な流量だけの高温水を循環供給し得るように開度調整可能となっており、最大開度に開いた状態が全開状態であり、最小開度からさらに閉方向に作動させて完全に閉止した状態が全閉状態である。なお、図1中の符号３１２は一次側の高温水の温度を検出する熱媒温度検出手段としての熱源温度センサ(サーミスタ)であり、液−液熱交換器３１の一次側入口と上記水比例弁３１１との間の位置で暖房往分岐路２４１に配設されている。かかる熱源温度センサ３１２の配設位置は、液−液熱交換器３１内の一次側の位置であっても、あるいは、暖房戻分岐路２５１であって液−液熱源機３１の一次側出口近傍位置であっても、いずれでもよい。
【００２１】
上記温水循環系２１は、熱源機２内において、膨張タンク２１１内に貯留された低温水を循環ポンプ２１２の作動により熱交換器２１３に送り、燃焼バーナ２１４の燃焼熱との熱交換により加熱して高温水とした上で、この高温水を熱源要求のある暖房端末（例えば床暖房ユニット等）に供給するようになっている。そして、暖房端末での放熱により低温となった低温水が上記膨張タンク２１１に戻されて循環されるようになっている。上記の暖房端末の一つとして上記の放熱用熱交換器４２があり、この放熱用熱交換器４２に対し温水循環系２１から高温水が上記暖房往路２４を通して供給され、熱交換器４２の出口から低温水が暖房戻路２５を通して膨張タンク２１１に戻されるようになっている。
【００２２】
又、上記給湯系２２からは種々の給湯先（例えば台所カラン，シャワーカラン等）への給湯配管が接続されており、その一部として給湯配管６１が上記液−液熱交換器３１の二次側(被加熱側)に対し熱交換加熱対象のミスト用水として給湯し得るように接続されている。上記給湯系２２では、いずれかの給湯先が開かれて給水配管６２から入水路２２１への入水が最低作動流量以上になったことが検出されて熱源機コントローラ２３により燃焼バーナ２２２の燃焼が開始され、熱交換器２２３において入水が燃焼熱により熱交換加熱された後、給湯配管６１を含む種々の給湯配管に給湯されるようになっている。又、上記の給水配管６２及び後述の給水配管６３は共に上流端が水道管に接続され、水道水の供給圧又は減圧調整後の供給圧が作用している。
【００２３】
上記ミストユニット３は浴室空間Ｒの外部に設置され、液−液熱交換器３１と、水比例弁３１１と、液−液熱交換器３１に対する高温水の供給及び加熱対象のミスト用水の切換等を制御するミストユニットコントローラ３２とを備えている。上記液−液熱交換器３１には、ミスト用水の導入側、すなわち上記の高温水により液−液熱交換加熱される二次側入口(被加熱側入口)に対し、上記の給湯配管６１が給湯電磁弁６１１を介して接続される一方、給水配管６３も給水電磁弁６３１を介して接続されている。これら給水配管６３及び給湯配管６１が、液−液熱交換器３１の二次側入口に対しミスト用水を供給するミスト用水供給配管を構成するものであり、上記給湯電磁弁６１１及び給水電磁弁６３１がそのミスト用水の供給・遮断を切換えるミスト用水供給切換手段を構成するものである。なお、これら給湯配管６１及び給水配管６３には図示を省略するがストレーナや、凍結予防ヒータ等がそれぞれ介装されている。
【００２４】
そして、上記液−液熱交換器３１の二次側出口(被加熱側出口)にはミスト温水供給配管６４の上流端が接続され、このミスト温水供給配管６４の下流端は上記室内ユニット４のミスト噴霧ノズル４４ａ，４４ｂに接続されている。これにより、上記液−液熱交換器３１において、二次側に供給されたミスト用水が一次側に供給された高温水との液−液熱交換により加熱され、所定温度まで加熱・昇温されたミスト温水が上記ミスト温水供給配管６４を通してミスト噴霧ノズル４４ａ，４４ｂに供給されるようになっている。上記ミスト温水供給配管６４には、加熱後のミスト温水の温度を検出するミスト温度センサ（サーミスタ）６４１と、開閉切換によりミスト温水の上記ミスト噴霧ノズル４４ａ，４４ｂに対する供給・遮断を切換えるミスト電磁弁６４２とが介装されている。又、上記ミスト温水供給配管６４から排水用配管６５が排水電磁弁６５１を介して分岐されており、内部の残留水等の所定温度に未到達の湯水を排水し得るようになっている。
【００２５】
上記の給湯電磁弁６１１及び給水電磁弁６３１が、その開閉切換により、液−液熱交換器３１に対するミスト用水供給の場合にそのミスト用水として給湯か給水かの選択的供給切換えを行う他、上記液−液熱交換器３１の二次側に対するミスト用水自体の供給・遮断の切換えを行うミスト用水供給切換弁を構成する。そして、これらの電磁弁６１１，６３１による液−液熱交換器３１の二次側に対するミスト用水の供給切換と、水比例弁３１１による液−液熱交換器３１の一次側に対する高温水の供給・遮断の切換と、ミスト電磁弁６４２によるミスト噴霧ノズル４４ａ，４４ｂに対するミスト用水の供給・遮断の切換となどがミストユニットコントローラ（室外機コントローラ）３２により制御されるようになっている。
【００２６】
上記室内ユニット４は浴室空間Ｒの天井にはめ込まれる天井設置タイプと、浴室空間Ｒの側壁に取り付けられる壁掛け設置タイプとがあり、いずれのタイプであっても本実施形態として適用し得る。室内ユニット４は、ケーシング４１内に温風生成用の熱交換器４２及び温風吹き出し用の送風機（循環ファン）４３が配設されると共に、ミスト放出手段としての２以上（図例では４つ）のミスト噴霧ノズル４４ａ，４４ａ，４４ｂ，４４ｂと、開閉切換によりミストを噴霧させるノズル数を変更するための切換電磁弁４５と、以上の機器の作動制御を行う室内ユニットコントローラ（室内機コントローラ）４６とが配設されている。
【００２７】
上記送風機４３が上記室内ユニットコントローラ４６により送風作動されると、ケーシング４１の上部の吸い込み口４１１から浴室空間Ｒの内気を熱交換器４２に対し外側から内側に通過させて吸い込む一方、続いて熱交換器４２に対し内側から外側に通過させた上で温風吹き出し口(図示省略)から浴室空間Ｒに向けて吹き出させることになる。上記の熱交換器４２の通過の際に、熱交換器４２に対し熱動弁４２１を介して循環供給されている高温水の放熱を受けて所定温度まで加熱・昇温されて温風に変換され、この温風が浴室空間Ｒに対し吹き出されて浴室乾燥機能を発揮するようになっている。上記温風吹き出し口には、ルーバーモータ４７により首振り傾動されるルーバー４７１が設置され、このルーバー４７１の傾動角度の変更設定により温風の吹き出し方向が変更されるようになっている。このような温風吹き出し機能によって浴室乾燥機が構成されることになる。以上の送風機４３の作動、熱動弁４２１の開作動による高温水の循環供給、及び、ルーバーモータ４７の作動によるルーバー４７１の傾動角度設定等の温風吹き出しのための作動制御、並びに、これらの作動制御を吸気温度の検出により室内温度を検出する室内温度センサ４８の検出温度や湿度センサ４９の検出湿度等に基づいて行う温度及び湿度の管理制御等が室内ユニットコントローラ４６によって実行されるようになっている。
【００２８】
又、上記換気装置５は、換気ファン５１の作動により浴室空間Ｒ内の内気を外部に排出させるようになっている。
【００２９】
上記のミストユニットコントローラ３２と熱源機コントローラ２３とは、図２にも示すように、有線又は無線により双方向通信が可能に接続され、又、ミストユニットコントローラ３２と室内ユニットコントローラ４６とも有線又は無線により双方向通信が可能に接続されている。そして、上記ミストユニットコントローラ３２は、例えばワイヤレス式のリモコン７からの入力指令や、ミスト温度センサ６４１及び室内温度センサ４８等からの検出情報に基づいて、熱源機コントローラ２３や室内ユニットコントローラ４６に対し制御信号を送出するなどして、３つのコントローラ２３，３２，４６が協働して浴室空間Ｒに対するミスト噴霧を制御するようになっている。従って、コントローラ２３，３２，４６によってミスト制御手段８が構成されることになる。又、上記ミストユニットコントローラ３２は、液−液熱交換器３１におけるリーク発生の有無を自動判定処理するリーク判定処理手段としてのリーク判定部３２１を備えており、このリーク判定部３２１はリーク発生有りと判定したときユーザに対する所定の警報処理と共にミスト発生装置の強制運転停止処理とを実行するようになっている。
【００３０】
以下、上記のリーク判定部３２１によるリーク判定処理について、図３のフローチャートを参照しつつ詳述する。この第１実施形態のリーク判定部３２１によるリーク判定処理は、ミスト運転(ミストサウナ運転)の終了の際に実行されるようになっている。すなわち、例えばリモコン７のミスト運転スイッチがＯＮ状態からユーザ操作によりＯＦＦにされた等のミスト運転を終了させる出力信号を受けると(ステップＳ１でＹＥＳ)、ミスト運転終了のための本来の終了時制御として、ミスト電磁弁６４２の閉作動指令や給水電磁弁６３１及び給湯電磁弁６１１の閉作動指令によるミスト温水及びミスト用水の供給停止と、水比例弁３１１の閉作動指令による熱源用高温水の供給停止とを行い、引き続いて、リーク判定部３２１によるリーク判定処理に移る。
【００３１】
上記終了時制御実行後に、リーク判定処理として、まず、水比例弁３１１に全開作動指令を出力し(ステップＳＡ１)、熱源温度センサ３１２の温度検出値(熱媒温度)を記憶する(ステップＳＡ２)。そして、水比例弁３１１に対する全開作動指令が出力されていることを確認した上で(ステップＳＡ３でＹＥＳ)、給水電磁弁６３１に開作動指令を出力すると共に(ステップＳＡ４)、熱源温度センサ３１２の温度検出値の変化を所定時間が経過するまで継続して監視する(ステップＳＡ５)。
【００３２】
ここで、水比例弁３１１よりも下流側の液−液熱交換器３１の一次側に存する高温水は、新たな高温水の供給が遮断されているため、時間経過と共に自然放熱によって温度低下していくことになる。この際、もしも、液−液熱交換器３１において、一次側と二次側との間を仕切る隔壁に孔明き等が生じてリークが生じていると、二次側からの冷たい給水が一次側の高温水に混入するため、一次側の高温水は上記の自然放熱による温度低下度合よりも急激に温度低下することになる。このため、上記のステップＳＡ５における監視により、現在の温度検出値が上記の記憶した温度検出値から判定用の温度低下度合ΔＴ(例えば４０℃〜５０℃／min)以上で変化していることが検知されれば(ステップＳＡ５でＹＥＳ)、リーク発生有りと判定してその判定結果を一時記憶した上で(ステップＳＡ６)、給水電磁弁６３１を閉作動し(ステップＳＡ７)、故障ランプを例えば点滅表示したまま(ステップＳＡ８)、運転を終了させる。
【００３３】
例えば、上記の水比例弁３１１の全閉切換直後における高温水は大体８０℃であり、給水電磁弁６３１の開作動により給水配管６３と連通されて液−液熱交換器３１の二次側に給水圧が作用した状態となる給水温度は大体３０℃であると、上記の４０℃〜５０℃／minのΔＴの場合、ほぼ１分程度で高温水の温度(熱源温度センサ３１２の温度検出値)は給水温度近くまで低下することになる。従って、上記のステップＳＡ５での温度低下状態の監視時間(リーク判定のための時間)としては、１分、１．５分もしくは２分(１〜２分程度)を設定すればよい。
【００３４】
又、上記の故障ランプとしては、室内ユニット４のケーシング４１の浴室空間Ｒに望む面に設置した警告ランプを用い、この警告ランプを以後継続して点滅表示させるようにすればよい。なお、ユーザに対する警報手段としては、この故障ランプによるもの以外にも例えばリモコン７を用いてその表示面に文字もしくは絵文字を用いた警告表示や、警告灯の点滅表示等を行うようにしてもよいし、上記室内ユニット４に設置した警報ブザーを吹鳴させたり、同様に設置したスピーカを用いて音声案内による警報を出力させたりするようにしてもよい。
【００３５】
一方、上記のステップＳＡ５での監視において、熱源温度センサ３１２の温度検出値の温度低下度合が上記の判定用の温度低下度合ΔＴ未満、すなわち、自然放熱に伴う温度低下である場合には(ステップＳＡ５でＮＯ)、リーク発生無しと判定してその判定結果を一時記憶した上で(ステップＳＡ９)、給水電磁弁６３１を閉作動し(ステップＳＡ１０)、運転を終了させる。
【００３６】
以上のリーク判定部３２１によるリーク判定処理によれば、液−液熱交換器３１内での一次側と二次側との間の孔明きによる短絡発生の有無、そして、リーク発生の有無を確実に判定・検知することができる上に、ミスト運転終了時点での高温水の残熱を利用してリーク判定を行うようにしているため、リーク判定のためだけに熱源機２を燃焼作動させる必要がなく無駄に燃焼エネルギーを消費させることもない。しかも、比較的高温の高温水が二次側からリークした給水(ミスト用水)の混入により急激に温度低下するという温度低下現象を検知することでリーク判定を行うようにしているため、リーク発生の有無の判定を比較的短時間(１〜２分程度)で行うことができる。この際、もしも二次側から一次側へのリークが発生した場合には、水比例弁３１１が開状態にされているため、冷たい給水により温度低下した高温水が開状態の水比例弁３１１の側に容易に流れ、一次側入口と水比例弁３１１との間に設置されている熱源温度センサ３１２によって的確に温度低下を検出することができるようになる。しかも、水比例弁３１１が単なる開状態ではなくて全開作動されるため、上記の給水の混入により温度低下した高温水の水比例弁３１１の側への流動、つまり熱源温度センサ３１２の側への流動がより促進されることになり、この結果、もしもリークが発生した場合の熱源温度センサ３１２による温度低下の検出をより迅速に行うことができるようになる。
【００３７】
なお、熱源温度センサ３１２の設置位置を、例えば液−液熱交換器３１内の一次側にしたり、あるいは、一次側出口近傍の暖房戻分岐路２５１にしたりした場合には、上記のフローチャートにおける水比例弁３１１の全開作動指令の出力は必ずしも必要ではなくなり、これを省略してステップＳ１のミスト運転終了制御に引き続いて温度検出値の記憶、そして、温度低下度合の監視と判定を実行するようにしてもよい。
【００３８】
又、上記の水比例弁３１１の設置位置として、図１では液−液熱交換器３１の一次側の上流側、つまり暖房往分岐路２４１に介装した場合を図示しているが、これに限らず、液−液熱交換器３１の一次側の下流側、つまり暖房戻分岐路２５１に上記水比例弁を介装させるようにしてもよい。この場合には、上記の熱源温度センサ３１２の設置位置との関係で、もしもリークが発生した場合に温度低下した高温水が流動し易いように水比例弁の開作動指令もしくは全開作動指令を出力するようにすればよい。
【００３９】
以上説明したリーク判定の手法では自然放熱に基づく温度低下を超える急激な温度低下を検知することでリーク発生有りと判定して装置の強制終了等の処理を行うようにしているが、上記の如きリークが発生していると疑われる温度低下の検知が１回あっても即座にリーク発生有りとの判定を下さずに２回又は３回と繰り返して同様の検知があったときに初めてリーク発生有りと最終的な判定を下すようにしてもよい。１回の検知だけでリーク発生有りと判定してしまうと、例えば温度検出等に係る基板側での接触不良等に起因する誤判定のおそれがある可能性も考えられるからである。例えば２回目の検知で最終的にリーク発生有りと判定する場合には、リーク判定部３２１にカウントメモリを設け、上記の如き急激な温度低下の１回目の検知によりカウントを開始して「１」を記憶し、次回のミスト運転終了時にも同様の温度低下を２回目に検知すればリーク発生有りと判定して故障ランプの点滅表示等の処理を実行するようにすればよい。
【００４０】
＜第２実施形態＞
図４は第２実施形態のミスト発生装置を備えたミスト機能付き浴室乾燥機を示し、第１実施形態における図１に相当するものである。
【００４１】
この第２実施形態では、第１実施形態の熱源温度センサ３１２は必須ではなく、液−液熱交換器３１の一次側出口(熱源側出口)近傍位置又は暖房戻分岐路２５１に介装した戻り流量センサ２５２(図５も併せて参照)を用いて、ミスト運転開始の際にリーク判定するようにしている。この戻り流量センサ２５２は液−液熱交換器３１の一次側から熱源機２(温水循環系２１)へ戻る流量を検出するものであり、本実施形態のリーク判定部３２２でのリーク判定処理においては、上記の戻り流量センサ２５２が有意な流量値(センサの検出誤差範囲を超える流量値)を検出したことにより流れが生じたこと、つまり流通有りの検知を行うようにしている。なお、本実施形態のミスト機能付き浴室乾燥機のその他の構成において、第１実施形態と同様の構成要素については第１実施形態のそれと同一符号を付して詳細な説明の重複を省略する。
【００４２】
以下、第２実施形態でのリーク判定処理手段としてのリーク判定部３２２によるリーク判定処理について図６を参照しつつ説明する。
【００４３】
リモコン７のミスト運転スイッチがユーザによりＯＮされることによりミスト運転が開始されると、まず、リモコン７に対しユーザが設定したミスト継続のタイマ時間値、ミスト噴霧の風向き設定及びその風量設定や、ミストの温度設定等の各種設定値を取り込む(ステップＳＢ１)。そして、各種温度センサ類(例えば室内温度センサ４８、ミスト温度センサ６４１等)に異常がないかどうかの初期チェックを実行し、万一いずれかにセンサ異常が検知されれば(ステップＳＢ２でＮＯ)、故障ランプを点灯表示して(ステップＳＢ３)、ＯＮ操作されたミスト運転を強制停止させる。
【００４４】
各種温度センサが正常であれば(ステップＳＢ２でＹＥＳ)、ミスト運転開始の前処理として、運転ランプの点灯、ミストランプの点灯、及び、熱源機２の熱源機コントローラ２３に対する熱源作動信号(温水循環系２１の燃焼等の作動開始信号)の出力と(ステップＳＢ４)、熱動弁４２１に対する開作動信号の出力及び水比例弁３１１の開作動信号の出力と(ステップＳＢ５)を行う。
【００４５】
これらの前処理を行った後に、本来は、通常のミスト運転制御である通常運転制御(ステップＳＢ１３)に移行するのであるが、上記のステップＳＢ５の熱動弁４２１や、同じく熱動弁により構成された水比例弁３１１は開作動信号が出力されてから実際に所定の開状態になるまでに所定の開作動時間(１分程度)の経過を待つ必要がある。このため、この開作動信号が出力されはしたが水比例弁３１１自体は未だ閉じている間(上記の開作動時間)を有効利用して、この間にリーク判定部３２２によるリーク判定処理を挟むようにしている。
【００４６】
すなわち、まず、給水電磁弁６３１を開作動させて(ステップＳＢ６)、戻り流量センサ２５２が流量を検知したか否か、つまり流通が有るか否かを確認する(ステップＳＢ７)。ミスト運転開始前の状態では、液−液熱交換器３１の二次側の上流側の給水電磁弁６３１や給湯電磁弁６１１が共に閉状態とされ、下流側のミスト電磁弁６４２や排水電磁弁６５１が共に閉状態とされており、この状態で上記ステップＳＢ６の給水電磁弁６３１を開作動させたとしても、本来であればミスト用水の流れは生じ得ず停滞した状態を維持することになる。ところが、液−液熱交換器３１内において一次側と二次側との間に孔明き等が生じて短絡していれば、二次側のミスト用水が一次側の高温水側に流れてリークが生じることになる。そして、ステップＳＢ５の水比例弁３１１に対する開作動信号の出力直後であれば、水比例弁３１１はまだ閉状態であるため、流れ自体が本来は生じない筈の暖房戻分岐路２５１に上記のリーク発生に伴い流れが生じることになる。従って、戻り流量センサ２５２で有意な流量検出値の検出があれば(ステップＳＢ７でＹＥＳ)、リーク発生有りと判定してそれを記憶し(ステップＳＢ８)、ステップＳＢ６で開作動した給水電磁弁６３１を閉作動させた上で(ステップＳＢ９)、故障ランプを例えば点滅表示して(ステップＳＢ１０)、開始させたミスト運転制御を停止して強制運転停止させる。
【００４７】
一方、ステップＳＢ７で戻り流量センサ２５２による流量検知がなければ(ステップＳＢ７でＮＯ)、リーク発生は無しと判定してそれを記憶し(ステップＳＢ１１)、リーク判定のために開作動させた給水電磁弁６３１を閉作動させて元に戻した上で(ステップＳＢ１２)、ミスト運転のための通常運転制御に移行する(ステップＳＢ１３)。なお、上記のステップＳＢ６の給水電磁弁６３１の開作動からステップＳＢ９又はステップＳＢ１２の閉作動までの時間値、つまり、リーク判定のためにミスト用水の供給圧力を一時的に作用させる時間値としては、例えば数秒であってもリークが発生していればそのリーク発生に伴う流れの検出(流量検出)が可能である。要するに、水比例弁３１１に対する開作動信号が出力されても、その水比例弁３１１に開作動遅れがあるものの、その開作動遅れの最初の極短時間(例えば数秒)の間であって確実に水比例弁３１１が未だ閉状態にある間に、上記の戻り流量センサ２５２による流量検出があるか否かをチェックするわけである(ステップＳＢ７)。
【００４８】
この第２実施形態のリーク判定部３２２によるリーク判定処理によれば、液−液熱交換器３１内での一次側と二次側との間の孔明きによる短絡発生の有無、そして、リーク発生の有無を第１実施形態と同様に確実に判定・検知することができることになる。その上に、ミスト運転開始時点での熱動弁４２１や水比例弁３１１の開作動に要する時間を有効利用してリーク判定を行うようにしているため、熱源機２は燃焼作動を開始してはいるものの、その燃焼作動はリーク判定のためではなくてミスト運転を開始するためのものであるため、リーク判定のためだけに燃焼作動させる場合の無駄な燃焼エネルギー消費を回避させることができる。しかも、上記の水比例弁３１１の開作動に要する比較的短時間の経過時間の有効利用によりリーク判定しているため、リーク発生の有無の判定も比較的短時間(１分程度)で行うことができる。
【００４９】
なお、以上の第２実施形態では、流量検知を戻り流量センサ２５２により液−液熱交換器３１の一次側での流通が有ることを検知するようにしているが、上記の如く二次側でも本来は流れが生じ得ない筈であるのに、リーク発生に伴いミスト用水が二次側から一次側に漏水するのであるため、例えば液−液熱交換器３１の二次側入口近傍位置等にミスト用水流量センサ６１２(図４参照)を設置し、このミスト用水流量センサ６１２を上記の戻り流量センサ２５２の代わりにリーク判定処理に用いるようにしてもよい。又、流量検知を行うのではなくて、微量であっても流れの発生を検知し得る水流スイッチ等を熱媒流通検出手段として用いてもよい。
【００５０】
これらの第２実施形態においても、第１実施形態で説明した如く、１回の流量検知で即座にリーク発生有りとの判定を下さずに２回又は３回と繰り返して同様の検知があったときに初めてリーク発生有りと最終的な判定を下すようにしてもよい。カウントメモリ等を利用する具体的な手法は第１実施形態で説明したものと同様に行えばよい。
【００５１】
＜他の実施形態＞
なお、本発明は以上の記載のみならず、その他種々のものを包含するものである。すなわち、上記各実施形態において、浴室乾燥機とは切り離してミスト発生装置として単独で使用してもよく、又、対象の室内空間としては浴室空間Ｒに限らずサウナのみを目的とした室内空間等のいずれの室内空間でもよい。
【００５２】
又、上記各実施形態では室外機としてのミストユニット３と、室内機としての室内ユニット４とを互いに独立させて設置するように構成された場合について説明しているが、これに限らず、ミストユニット（室外機）３の部分を浴室の天井裏に設置するようにして、ミストユニット（室外機）３と室内ユニット（室内機）４とを互いに一体化した一体型に構成してもよい。以上の点は、もちろん、後述の他の構成例においても同じである。
【００５３】
第１実施形態と第２実施形態との双方を組み合わせ、ミスト運転制御の開始時と終了時との双方でリーク判定を行うようにしてもよい。この場合、開始時又は終了時のいずれか一方でリーク発生と判定されても基板の接触不良等に起因する誤判定もあり得ることから、開始時と終了時との双方でリーク発生と判定されたときに限り最終的に又は真にリーク発生と判定して、リーク発生時の処理(故障ランプの点滅表示等)を実行するようにしてもよい。
【００５４】
上記第２実施形態及び後述の他の構成例１においては、給水電磁弁６３１を一時的に開作動させる代わりに、給湯電磁弁６１１を一時的に開作動させるようにしてもよい。給水電磁弁６３１及び給湯電磁弁６１１はいずれもミスト用水供給切換手段を構成するものであるため、ミスト用水を液−液熱交換器３１の二次側に供給する又は供給圧力を作用させるという機能に関しては互いに同じだからである。
【００５５】
＜他の構成例１＞
図７はリーク判定処理手段であるリーク判定部３２３によるリーク判定処理のフローチャートである。この場合のリーク判定処理は、第２実施形態と同様にミスト運転開始の際の熱動弁４２１や水比例弁３１１の開作動に要する時間経過を有効利用してリーク判定を行いつつも、第２実施形態の如く流れ検知を利用するのではなくて、圧力低下検知によってリーク発生を判定しようとするものである。このため、第２実施形態における戻り流量センサ２５２もしくはミスト用水流量センサ６１２は必須ではなくて、代わりに液−液熱交換器３１の二次側に対し圧力センサ(図示省略)を設置するものである。かかる圧力センサの設置位置としては、詳しくは、給水電磁弁６３１(図４参照)又は給湯電磁弁６１１よりも下流側(液−液熱交換器３１側)であって、ミスト電磁弁６４２よりも上流側又は排水電磁弁６５１よりも上流側の領域である、液−液熱交換器３１の二次側領域のいずれかの位置であればよい。以下、図４に図示した構成要素及びその符号を用いて説明する。
【００５６】
図７において、リモコン７のミスト運転スイッチがユーザによりＯＮされることによりミスト運転が開始されると、第２実施形態で説明したステップＳＢ１〜ステップＳＢ５までの各処理を第２実施形態と同様に実行する(図６も併せて参照)。すなわち、まず、リモコン７に対しユーザが設定した各種設定値を取り込み(ステップＳＢ１)、各種温度センサ類に異常がないかどうかの初期チェックを実行し、万一いずれかにセンサ異常が検知されれば(ステップＳＢ２でＮＯ)、故障ランプを点灯表示して(ステップＳＢ３)、ＯＮ操作されたミスト運転を強制停止させる。一方、各種温度センサが正常であれば(ステップＳＢ２でＹＥＳ)、ミスト運転開始の前処理として、運転ランプの点灯、ミストランプの点灯、及び、熱源機２の熱源機コントローラ２３に対する熱源作動信号の出力と(ステップＳＢ４)、熱動弁４２１に対する開作動信号の出力及び水比例弁３１１の開作動信号の出力と(ステップＳＢ５)を行う。
【００５７】
そして、これらの前処理を行った後に、ステップＳＢ５の熱動弁４２１や水比例弁３１１が開作動信号を受けてから実際に所定の開状態になるまでに要する所定の開作動時間(１分程度)が経過するまでの間に、リーク判定部３２３によるリーク判定処理を間に挟むようにしている。
【００５８】
すなわち、まず、排水電磁弁６５１を開作動して(ステップＳＣ６)、給水電磁弁６３１を開作動させた上で(ステップＳＣ７)、これら排水電磁弁６５１及び給水電磁弁６３１を共に閉作動させる(ステップＳＣ８)。要するに、ミスト運転開始前の状態、すなわち、液−液熱交換器３１の二次側の上流側の給水電磁弁６３１や給湯電磁弁６１１が共に閉状態とされ、下流側のミスト電磁弁６４２や排水電磁弁６５１が共に閉状態とされて液−液熱交換器３１の二次側が閉回路にされた状態において、上記のステップＳＣ６〜ＳＣ８の処理によって二次側の閉回路に対し給水圧を作用させる。リーク発生が無ければ、かけられた給水圧はそのままの圧力状態を保つ筈であるが、リーク発生が有れば上記の二次側の閉回路内の圧力は低下することになる。このため、上記圧力センサの検出圧力値が低下していれば(ステップＳＣ９でＹＥＳ)、リーク発生有りと判定してそれを記憶し(ステップＳＣ１０)、故障ランプを例えば点滅表示して(ステップＳＣ１１)、開始させたミスト運転制御を停止して強制運転停止させる。
【００５９】
一方、ステップＳＣ９で圧力センサによる圧力検出値がほぼ一定値を維持して低下しなければ(ステップＳＣ９でＮＯ)、リーク発生は無しと判定してそれを記憶し(ステップＳＣ１２)、ミスト運転のための通常運転制御に移行する(ステップＳＢ１３)。
【００６０】
以上の場合のリーク判定部３２３によるリーク判定処理の場合にも、液−液熱交換器３１内での一次側と二次側との間の孔明きによる短絡発生の有無、そして、リーク発生の有無を第１実施形態と同様に確実に判定・検知することができることになる。その上に、第２実施形態と同様に、ミスト運転開始時点での熱動弁４２１や水比例弁３１１の開作動に要する時間を有効利用してリーク判定を行うようにしているため、熱源機２は燃焼作動を開始してはいるものの、その燃焼作動はリーク判定のためではなくてミスト運転を開始するためのものであるため、リーク判定のためだけに燃焼作動させる場合の無駄な燃焼エネルギー消費を回避させることができる。しかも、上記の水比例弁３１１の開作動に要する比較的短時間の経過時間の有効利用によりリーク判定しているため、リーク発生の有無の判定も比較的短時間(１分程度)で行うことができる。
【００６１】
又、この場合においても、第１実施形態で説明した如く、１回の流量検知で即座にリーク発生有りとの判定を下さずに２回又は３回と繰り返して同様の検知があったときに初めてリーク発生有りと最終的な判定を下すようにしてもよい。カウントメモリ等を利用する具体的な手法は第１実施形態で説明したものと同様に行えばよい。
【００６２】
＜他の構成例２＞
図８を参照しつつ説明する。温水循環系２１においては、通常、膨張タンク２１１内の液位が異常に低下すれば、温水循環系２１の熱源機２内の配管においてリークが発生していると判定し、異常時対策処理を実行するという機能が備えられている。ここで、液−液熱交換器３１の一次側に対する熱源としての高温水の供給・遮断を切換える水比例弁３１１の設置位置を一次側の上流である暖房往分岐路２４１ではなくて、一次側の下流である暖房戻分岐路２５１とする。そして、リーク判定処理として、水比例弁３１１を閉状態にする一方、排水電磁弁６５１を開状態にした上で、熱源機コントローラ２３に指令を発して温水循環系２１の循環ポンプ２１２を作動させ、上記の膨張タンク２１１内の液位の変化状況を監視する。液−液熱交換器３１内の一次側と二次側との間に孔明き等の短絡発生に伴うリークが無ければ、液−液熱交換器３１の一次側に循環供給の圧力が作用するだけで循環水は熱源機２内の温水循環系２１の図示省略のバイパス路を循環し膨張タンク２１１内の液位は低下することはない。しかし、上記のリークが発生すると、一次側から二次側に温水循環系２１内の循環水がリークして開状態の排水電磁弁６５１及び排水配管６５を通して流出することになり、この結果、そのリークの分だけ膨張タンク２１１内の液位が低下することになる。この液位低下を検知することにより、液−液熱交換器３１のリーク発生を判定することができることになる。この場合のリークは、液−液熱交換器３１内での一次側から二次側へのリークのみならず、液−液熱交換器３１の一次側から外部へのリークをも検知し得ることになる。
【図面の簡単な説明】
【００６３】
【図１】本発明の第１実施形態のミスト機能付き浴室乾燥機を示す模式図である。
【図２】第１実施形態の制御部分についてのブロック構成図である。
【図３】第１実施形態における主としてリーク判定処理についてのフローチャートである。
【図４】第２実施形態の図１相当図である。
【図５】第２実施形態の図２相当図である。
【図６】第２実施形態の図３相当図である。
【図７】他の構成例１の図３相当図である。
【図８】他の構成例２の図１相当図である。
【符号の説明】
【００６４】
３１          液−液熱交換器
３２          ミストユニットコントローラ(制御手段)
２５２        戻り流量センサ(熱媒流通検出手段)
３１１        水比例弁(熱媒供給切換手段)
３１２        熱源温度センサ(熱媒温度検出手段)
３２１，３２２  リーク判定部(リーク判定処理手段)
６１１        給湯電磁弁(ミスト用水供給切換手段)
６３１        給水電磁弁(ミスト用水供給切換手段)
【図１】
0004822051.tif 000002
【図２】
0004822051.tif 000003
【図３】
0004822051.tif 000004
【図４】
0004822051.tif 000005
【図５】
0004822051.tif 000006
【図６】
0004822051.tif 000007
【図７】
0004822051.tif 000008
【図８】
0004822051.tif 000009